(57)【要約】【課題】建具に適用されるガラス外れ止め部材において、火災発生時のガラスへの捩れる方向への応力に起因するガラスの破損を効果的に防止することができる構成を提供すること。【解決手段】樹脂製の框体３０及び框体３０の内側に納められるガラス２５を備える建具１であって、框体３０を構成する縦框３３，３４及び横框３１，３２が連結されるコーナー部１００ａ〜１０ｄに固定されるガラス外れ止め部材５００を備え、ガラス外れ止め部材５００は、縦框３３，３４に配置される第１外れ止め部５０１と、第１外れ止め部５０１に対して直交した位置において横框３１，３２に配置される第２外れ止め部５０２と、第１外れ止め部５０１と第２外れ止め部５０２とを接続するとともに縦框３３，３４と横框３１，３２とを接続するコーナー接続部５１３と、を備える。【選択図】図９
2019085833.tif 000002
【特許請求の範囲】
【請求項１】
樹脂製の框体及び前記框体の内側に納められるガラスを備える建具であって、
前記框体を構成する縦框及び横框が連結されるコーナー部に固定されるガラス外れ止め部材を備え、
前記ガラス外れ止め部材は、
前記縦框に配置される第１外れ止め部と、
前記第１外れ止め部に対して直交した位置において前記横框に配置される第２外れ止め部と、
前記第１外れ止め部と前記第２外れ止め部とを接続するとともに前記縦框と前記横框とを接続するコーナー接続部と、を備え、
前記第１外れ止め部は、
前記ガラスの縦方向に延びる端部に見込方向一側で対面する第１押さえ片と、
前記第１押さえ片を保持し、締結孔を通じて締結部材によって前記縦框に固定される第１保持部と、を有し、
前記第２外れ止め部は、
前記ガラスの横方向に延びる端部に見込方向一側で対面する第２押さえ片と、
前記第２押さえ片を保持し、締結孔を通じて締結部材によって前記横框に固定される第２保持部と、を有する建具。
【請求項２】
前記第１保持部及び前記第２保持部は、前記コーナー部において前記コーナー接続部により接続されて一体で構成され、又は、別体で構成される請求項１に記載の建具。
【請求項３】
前記第１押さえ片及び前記第２押さえ片は、前記コーナー部において接続されて一体で構成され、又は、別体で構成される請求項１又は２に記載の建具。
【請求項４】
樹脂製の框体及び前記框体の内側に納められるガラスを備える建具に適用され、前記框体を構成する縦框及び横框が連結されるコーナー部に固定されるガラス外れ止め部材であって、
前記ガラス外れ止め部材は、
前記縦框に配置される第１外れ止め部と、
前記第１外れ止め部に対して直交した位置において前記横框に配置される第２外れ止め部と、
前記第１外れ止め部と前記第２外れ止め部とを接続するとともに前記縦框と前記横框とを接続するコーナー接続部と、を備え、
前記第１外れ止め部は、
前記ガラスの縦方向に延びる端部に見込方向一側で対面する第１押さえ片と、
前記第１押さえ片を保持し、締結孔を通じて締結部材によって前記縦框に固定される第１保持部と、を有し、
前記第２外れ止め部は、
前記ガラスの横方向に延びる端部に見込方向一側で対面する第２押さえ片と、
前記第２押さえ片を保持し、締結孔を通じて締結部材によって前記横框に固定される第２保持部と、を有するガラス外れ止め部材。
【発明の詳細な説明】
【技術分野】
【０００１】
本発明は、ガラス外れ止め部材を備える建具及びガラス外れ止め部材に関する。
【背景技術】
【０００２】
従来、障子の框体の内側に納められるガラスが外れないように、框体にガラス外れ止め部材を配置する建具が知られている。この種の建具を開示するものとして例えば特許文献１がある。
【０００３】
特許文献１には、合成樹脂製の窓枠又は窓框に複層ガラスを装着してなる複層ガラス窓の防火構造において、窓枠又は窓框における内周溝部に、耐熱性ガラス外れ止めを設けた複層ガラス窓の防火構造について記載されている。例えば、特許文献１には、室内側ガラス外れ止めと、この室内側ガラス外れ止めに係脱可能に組み付けられる室外側ガラス外れ止めとから構成される耐熱性ガラス外れ止めが示される。
【先行技術文献】
【特許文献】
【０００４】
【特許文献１】特開２０１０−２４８８３６号公報
【発明の概要】
【発明が解決しようとする課題】
【０００５】
樹脂製の框体に固定されるガラス外れ止め部材は、ガラスの脱落を防止できるものの、障子の上下框と縦框とは火災発生時に反り幅が異なることがあるため、火災発生時に、反りや框体の溶融等によってガラスが捻じれる方向に応力が掛かり、ガラスのヒビや破損の原因となるおそれがあった。この点、特許文献１に記載されるガラス外れ止め部材の構成においても、火災発生時のガラスへの捩れる方向への応力を和らげるという点で改善の余地があった。
【０００６】
本発明は、建具に適用されるガラス外れ止め部材において、火災発生時のガラスへの捩れる方向への応力に起因するガラスの破損を効果的に防止することができる構成を提供することを目的とする。
【課題を解決するための手段】
【０００７】
本発明は、樹脂製の框体（例えば、後述の框体３０）及び前記框体の内側に納められるガラス（例えば、後述のガラス２５）を備える建具（例えば、後述の建具１）であって、前記框体を構成する縦框（例えば、後述の吊元側縦框３３、戸先側縦框３４）及び横框（例えば、後述の上框３１、下框３２）が連結されるコーナー部（例えば、後述のコーナー部１００ａ，１００ｂ，１００ｃ，１００ｄ）に固定されるガラス外れ止め部材（例えば、後述のガラス外れ止め部材５００，５００Ａ，６００，６００Ａ）を備え、前記ガラス外れ止め部材は、前記縦框に配置される第１外れ止め部（例えば、後述の縦框側外れ止め部５０１）と、前記第１外れ止め部に対して直交した位置において前記横框に配置される第２外れ止め部（例えば、後述の横框側外れ止め部５０２）と、前記第１外れ止め部と前記第２外れ止め部とを接続するとともに前記縦框と前記横框とを接続するコーナー接続部（例えば、後述の保持金具接続板５１３、コーナープレート部材６３０）と、を備え、前記第１外れ止め部は、前記ガラスの縦方向に延びる端部に見込方向一側で対面する第１押さえ片（例えば、後述の第１押さえ片５２１，６２１）と、前記第１押さえ片を保持し、締結孔（例えば、後述の締結孔５１１ｃ，５１２ｃ）を通じて締結部材（例えば、後述のネジ５０５）によって前記縦框に固定される第１保持部（例えば、後述の第１保持金具６１１）と、を有し、前記第２外れ止め部は、前記ガラスの横方向に延びる端部に見込方向一側で対面する第２押さえ片（例えば、後述の第２押さえ片５２２，６２２）と、前記第２押さえ片を保持し、締結孔（例えば、後述の締結孔６１１ｃ，６１２ｃ）を通じて締結部材（例えば、後述のネジ５０５）によって前記横框に固定される第２保持部（例えば、後述の第２保持金具６１２）と、を有する建具に関する。
【０００８】
また、前記第１保持部及び前記第２保持部は、前記コーナー部において前記コーナー接続部により接続されて一体で構成され、又は、別体で構成されることが好ましい。
【０００９】
また、前記第１押さえ片及び前記第２押さえ片は、前記コーナー部において接続されて一体で構成され、又は、別体で構成されることが好ましい。
【００１０】
また、本発明は、樹脂製の框体及び前記框体の内側に納められるガラスを備える建具に適用され、前記框体を構成する縦框及び横框が連結されるコーナー部に固定されるガラス外れ止め部材であって、前記ガラス外れ止め部材は、前記縦框に配置される第１外れ止め部と、前記第１外れ止め部に対して直交した位置において前記横框に配置される第２外れ止め部と、前記第１外れ止め部と前記第２外れ止め部とを接続するとともに前記縦框と前記横框とを接続するコーナー接続部と、を備え、前記第１外れ止め部は、前記ガラスの縦方向に延びる端部に見込方向一側で対面する第１押さえ片と、前記第１押さえ片を保持し、締結孔を通じて締結部材によって前記縦框に固定される第１保持部と、を有し、前記第２外れ止め部は、前記ガラスの横方向に延びる端部に見込方向一側で対面する第２押さえ片と、前記第２押さえ片を保持し、締結孔を通じて締結部材によって前記横框に固定される第２保持部と、を有するガラス外れ止め部材に関する。
【発明の効果】
【００１１】
本発明の建具に適用されるガラス外れ止め部材によれば、火災発生時のガラスの反りに起因する破損を効果的に防止することができる。
【図面の簡単な説明】
【００１２】
【図１】本発明の第１実施形態に係る建具を示す正面図である。
【図２】第１実施形態の建具の縦断面図である。
【図３】第１実施形態の建具の横断面図である。
【図４】第１実施形態の建具が備える戸先側縦框に固定されるガラス外れ止め部材を見付方向の吊元側から見た図である。
【図５】第１実施形態の建具が備える上框に固定されるガラス外れ止め部材を下側から見た図である。
【図６】第１実施形態のガラス外れ止め部材の分解斜視図である。
【図７】第１実施形態の建具に適用されるガラス外れ止め部材及びその周囲を示す拡大横断面図である。
【図８】第１実施形態の建具に適用されるガラス外れ止め部材及びその周囲を示す拡大縦断面図である。
【図９】第１実施形態のコーナー部ガラス外れ止め部材がコーナー部に配置された状態を示す斜視図である。
【図１０】第１実施形態のコーナー部ガラス外れ止め部材の分解斜視図である。
【図１１】第１実施形態の建具１に適用されるコーナー部ガラス外れ止め部材の吊元側縦框（縦框）側の固定状態及びその周囲を示す拡大横断面図である。
【図１２】第１実施形態の建具１に適用されるコーナー部ガラス外れ止め部材の下框（横框）側の固定状態及びその周囲を示す拡大横断面図である。
【図１３】第１実施形態の変形例のコーナー部ガラス外れ止め部材を示す分解斜視図である。
【図１４】第２実施形態のコーナー部ガラス外れ止め部材を示す斜視図である。
【図１５】第２実施形態のコーナー部ガラス外れ止め部材の分解斜視図である。
【図１６】第２実施形態の変形例のコーナー部ガラス外れ止め部材を示す斜視図である。
【図１７】第２実施形態の変形例のコーナー部ガラス外れ止め部材の分解斜視図である。
【発明を実施するための形態】
【００１３】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１４】
図１は、本発明の第１実施形態に係る建具１を示す正面図である。第１実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１５】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１６】
図２は、第１実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１７】
図３は、第１実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００１８】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００１９】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２０】
障子２０は、ガラス２５と、ガラス２５を囲うように構成される框体３０と、を含むように構成される。
【００２１】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２２】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２３】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２４】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２５】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２６】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２７】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２８】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００２９】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３０】
次に、框体３０の内側の見込面に配置されるガラス外れ止め部材４０及び框体３０のコーナー部１００ａ〜１００ｄの内側の見込面に配置されるコーナー部ガラス外れ止め部材５００について説明する。図１に示すように、框体３０（上框３１、下框３２、吊元側縦框３３及び戸先側縦框３４）の内側の見込面にはガラス外れ止め部材４０が１又は複数配置される。また、框体３０のコーナーを構成する各コーナー部１００ａ〜１００ｄの内隅には、Ｌ字状に接続されたコーナー部ガラス外れ止め部材５００（ガラス外れ止め部材）が配置される。コーナー部ガラス止め部材５００は、各コーナー部１００ａ〜１００ｄにおいて、框体３０（上框３１、下框３２、吊元側縦框３３及び戸先側縦框３４）の内側の見込面に跨って配置される。
なお、框体３０の内側の見込面とは、框体３０におけるガラス２５に対向する面である。
【００３１】
図４は、第１実施形態の建具１が備える戸先側縦框３４に固定されるガラス外れ止め部材４０を見付方向の吊元側から見た図である。なお、図４では、加熱発泡材やセッティングブロックの図示が省略されるとともに、ガラス２５が鎖線で示されている。
【００３２】
図４に示すように、戸先側縦框３４の内側の見込面には、４個のガラス外れ止め部材４０が間隔をあけて配置される（図４参照）。同様に吊元側縦框３３の見込面にも４個のガラス外れ止め部材４０が配置される。以下の説明において吊元側縦框３３又は戸先側縦框３４に配置されるガラス外れ止め部材４０の符号をガラス外れ止め部材４０ａとして説明する。また、戸先側縦框３４の上端部及び下端部の見込面には、コーナー部ガラス止め部材５００の縦框側の部分が配置される。同様に吊元側縦框３３の上端部の見込面及び下端部の見込面にも、コーナー部ガラス止め部材５００の縦框側の部分が配置される。
【００３３】
図５は、第１実施形態の建具１が備える上框３１に固定されるガラス外れ止め部材４０を下側から見た図である。なお、図５でも、加熱発泡材やセッティングブロックの図示が省略されるとともに、ガラス２５が鎖線で示されている。
【００３４】
図５に示すように、上框３１の内側の見込面には、中央にガラス外れ止め部材４０が１個配置される（図５参照）。同様に、下框３２の内側の見込面にもガラス外れ止め部材４０が１個配置される。以下の説明において上框３１又は下框３２に配置されるガラス外れ止め部材４０の符号をガラス外れ止め部材４０ｂとして説明する。また、上框３１の両端部の見込面には、コーナー部ガラス止め部材５００の横框側の部分が配置される。同様に下框３２の両端部の見込面にも、コーナー部ガラス止め部材５００の横框側の部分が配置される。
【００３５】
本実施形態では、ガラス外れ止め部材４０ａとガラス外れ止め部材４０ｂは、同じ形状のガラス外れ止め部材４０である。次に、このガラス外れ止め部材４０の構成について説明する。図６は、第１実施形態のガラス外れ止め部材４０の分解斜視図である。
【００３６】
図６に示すように、本実施形態のガラス外れ止め部材４０は、框体３０に固定される保持金具４１と、保持金具４１によって保持される押さえ片４２と、を備える。本実施形態では、保持金具４１及び押さえ片４２は、何れも金属製（例えば、ステンレス鋼）である。
【００３７】
保持金具４１は、框体３０との間に隙間を形成する台部４１ａと、台部４１ａの両側（見込方向に直交する）に配置される取付部４１ｂと、を備える。両側の取付部４１ｂのそれぞれには、見込方向に細長い締結孔４１ｃが形成される。この締結孔４１ｃに締結部材としてのネジ４５が締結されることにより、保持金具４１が框体３０に固定される。台部４１ａは、固定された状態で框体３０の見込面との間に隙間を形成する。台部４１ａの室内側の端部には、室内側から室外側に切り欠かれた係合孔４１ｄが形成される。また、台部４１ａの室内側の端部には、ガラス２５側に向かって延出する延出片４１ｅが形成される。延出片４１ｅは、係合孔４１ｄを跨る壁状に形成されており、保持金具４１に係合された状態の押さえ片４２に対向する。
【００３８】
押さえ片４２は、ガラス２５の端部に対向する押さえ片４２ａと、押さえ片４２ａの下部（見付方向における框体３０側の端部）から室内側に延びる係合部４２ｂと、押さえ片４２ａの下端部（見付方向における框体３０側の端部）における係合部４２ｂの両側において室内側に延びる足部４２ｄと、を備える。押さえ片４２の係合部４２ｂの爪部４２ｃが保持金具４１の係合孔４１ｄに係合することで押さえ片４２が保持金具４１に係合固定される。本実施形態の係合部４２ｂは、その先端がガラス２５側に突出する爪状の爪部４２ｃを有しており、台部４１ａの裏側を通って爪状の爪部４２ｃが係合孔４１ｄの端面に係合する。
【００３９】
本実施形態では、押さえ片４２は、保持金具４１に係合した状態でも見込方向で若干の移動が可能となっている。保持金具４１と押さえ片４２の係合を解除する場合は、係合部４２ｂの爪部４２ｃを框体３０側に押し込んで係合を解除し、押さえ片４２を室内外側に移動させる。
【００４０】
框体３０に固定されたガラス外れ止め部材４０の取付状態について説明する。まず、吊元側縦框（縦框）３３に固定されるガラス外れ止め部材４０ａについて説明する。図７は、第１実施形態の建具１に適用されるガラス外れ止め部材４０ａ及びその周囲を示す拡大横断面図である。
【００４１】
図７に示すように、ガラス外れ止め部材４０が吊元側縦框３３に固定された状態では、押さえ片４２ａが室外側ガラス２５ａの吊元側端部に室外側で対面した状態となる。ガラス外れ止め部材４０ａは、保持金具４１を框体３０に取り付けた状態で加熱発泡材３８を配置し、ガラス２５を嵌め込んだ状態で押さえ片４２を保持金具４１に係合させる。加熱発泡材３８は、ガラス２５の４周を囲う帯状に形成されており、ガラス外れ止め部材４０に差し掛かる部分では、保持金具４１の台部４１ａのガラス２５側の面に加熱発泡材３８が載った状態となる。加熱発泡材３８は、接着剤、接着テープ等を用いた接着固定やネジ等を用いた締結固定等、適宜の方法で框体３０に固定される。
【００４２】
保持金具４１は、吊元側縦框３３の中空部３３ｂに配置される室外側縦框芯材３３ｅに締結孔４１ｃを通じてネジ４５が締結固定されることにより、吊元側縦框３３の見込面に固定される。上述のように、締結孔４１ｃは、見込方向に長い長孔となっている。従って、吊元側縦框３３及び室外側縦框芯材３３ｅに対する加工位置を変えることなく、保持金具４１の取付位置を見込方向（室内外方向）で調整することが可能となっている。例えば、室外側ガラス２５ａの室外側面から保持金具４１の延出片４１ｅまでの長さを距離ｄ１とすると、距離ｄ１は保持金具４１の取付位置によって変わることになる。押さえ片４２は保持金具４１によって位置が決まるので、ガラス２５と押さえ片４２の位置関係は保持金具４１の取付位置によって調整することができる。
【００４３】
なお、本実施形態では、押さえ片４２は、保持金具４１に係合された状態でも見込方向に若干移動可能となっているが、この移動範囲も保持金具４１の位置によって決まるので、何れにしても保持金具４１の取付位置によってガラス２５とガラス外れ止め部材４０ａの位置関係が調整されることになる。
【００４４】
以上、図７を参照して吊元側縦框３３に固定されるガラス外れ止め部材４０ａについて説明したが、戸先側縦框３４でも同様の構成及び方法でガラス外れ止め部材４０ａが吊元側縦框３３と同様に距離ｄ１の設定で戸先側縦框３４に固定される。
【００４５】
次に、上框（横框）３１に固定されるガラス外れ止め部材４０ｂについて説明する。図８は、第１実施形態の建具１に適用されるガラス外れ止め部材４０ｂ及びその周囲を示す拡大縦断面図である。
【００４６】
図８に示すように、ガラス外れ止め部材４０ｂが上框３１に固定された状態では、押さえ片４２ａが室外側ガラス２５ａの上端部に室外側で対面した状態となる。なお、ガラス外れ止め部材４０ｂを上框３１に固定する方法は、吊元側縦框３３に固定する場合と基本的に同様であるが、ガラス２５とガラス外れ止め部材４０ｂの位置関係は、ガラス２５とガラス外れ部材４０ａの位置関係とは異なるように、保持金具４１が固定される。本実施形態では、縦框（吊元側縦框３３及び戸先側縦框３４）に設定されるガラス２５に対するガラス外れ止め部材４０の位置関係を示す距離ｄ１よりも、上框３１のガラス２５に対するガラス外れ止め部材４０の位置関係を示す距離ｄ２の方が長くなるように設定される。即ち、上框３１のガラス外れ止め部材４０は、縦框（吊元側縦框３３及び戸先側縦框３４）に比べて相対的に隙間が大きくなるようにレイアウトされる。複層ガラス２５は高熱で反ったり歪むことがある。ここで、複層ガラス２５は、縦と横で反りや歪みの生じる大きさが異なるため、ガラスの変形を吸収できるように距離ｄ２の方が距離ｄ１よりも大きく構成されている。
【００４７】
以上、図８を参照して上框３１に固定されるガラス外れ止め部材４０ｂについて説明したが、下框３２でも同様の構成及び方法でガラス外れ止め部材４０ｂが上框３１と同様に距離ｄ２の設定で下框３２に固定される。
【００４８】
次に、コーナー部ガラス外れ止め部材５００について説明する。
図９は、第１実施形態のコーナー部ガラス外れ止め部材５００がコーナー部１００ｂに配置された状態を示す斜視図である。図１０は、第１実施形態のコーナー部ガラス外れ止め部材５００の分解斜視図である。
【００４９】
図１に示すように、上框３１と吊元側縦框（縦框）３３とのコーナー部１００ａ、吊元側縦框（縦框）３３と下框３２とのコーナー部１００ｂ、下框３２と戸先側縦框（縦框）３４とのコーナー部１００ｃ、戸先側縦框（縦框）３４と上框３１とのコーナー部１００ｄの内側の見込面には、コーナー部ガラス外れ止め部材５００が配置される（図４及び図５参照）。コーナー部１００ａ〜１００ｄは、框体３０を構成する縦框（吊元側縦框３３、戸先側縦框３４）及び横框（上框３１、下框３２）が連結される框体３０のコーナーに形成される。以下の説明において各コーナー部１００ａ〜１００ｄに配置されるコーナー部ガラス外れ止め部材５００の符号をコーナー部ガラス外れ止め部材５００として説明する。
【００５０】
本実施形態では、各コーナー部１００ａ〜１００ｄに配置されるコーナー部ガラス外れ止め部材５００は、配置される向きが異なるが、同じ形状のガラス外れ止め部材である。次に、このコーナー部ガラス外れ止め部材５００の構成について説明する。
【００５１】
本実施形態においては、吊元側縦框（縦框）３３と下框３２とのコーナー部１００ｂに配置される縦框側外れ止め部５０１について主に説明する。なお、他のコーナー部１００ａ、１００ｃ、１００ｄに配置される縦框側外れ止め部５０１についても、配置される向きや、縦框及び横框の配置順が異なるのみで、コーナー部１００ｂの縦框及び横框に配置される構成と同様である。
【００５２】
図９に示すように、コーナー部ガラス外れ止め部材５００は、コーナー部１００ｂの内隅において吊元側縦框３３（縦框）と下框３２（横框）とに跨ったＬ字状に構成される。コーナー部ガラス止め部材５００は、框体３０に固定される保持金具構成部５１０と、保持金具構成部５１０に保持される押さえ片構成部５２０と、を有する。本実施形態では、保持金具構成部５１０及び押さえ片構成部５２０は、何れも金属製（例えば、ステンレス鋼）である。
【００５３】
図９及び図１０に示すように、本実施形態においては、保持金具構成部５１０は、縦框側に配置される第１保持金具５１１（第１保持部）と、横框側に配置される第２保持金具５１２（第２保持部）と、保持金具接続板５１３（コーナー接続部）と、が一体で構成される。また、押さえ片構成部５２０は、縦框側に配置される第１押さえ片５２１と、横框側に配置される第２押さえ片５２２と、押さえ片接続板５２３と、が一体で構成される。
【００５４】
また、コーナー部外れ止め部材５００は、ガラス外れ止めの機能に着目すると、縦框側に配置される縦框側外れ止め部５０１（第１外れ止め部）と、横框側に配置される横框側外れ止め部５０２（第２外れ止め部）と、を備えて構成される。縦框側外れ止め部５０１は、ガラス２５の縦方向に延びる端部に対面することで、縦框側において、ガラス外れ止めの機能を発揮する。横框側外れ止め部５０２は、ガラス２５の横方向に延びる端部に対面することで、横框側において、ガラス外れ止めの機能を発揮する。
【００５５】
縦框側外れ止め部５０１及び横框側外れ止め部５０２は、各コーナー部１００ａ〜１００ｂの角を挟んで、縦框（吊元側縦框３３、戸先側縦框３４）及び横框（上框３１、下框３２）に配置される。縦框側外れ止め部５０１及び横框側外れ止め部５０２は、各コーナー部１００ａ〜１００ｄの角に対して対称に、同一の形状により構成される。
【００５６】
保持金具構成部５１０の詳細について説明する。
保持金具構成部５１０は、図９及び図１０に示すように、縦框側に配置される第１保持金具５１１と、横框側に配置される第２保持金具５１２と、保持金具接続板５１３と、を備える。
【００５７】
第１保持金具５１１は、図１０に示すように、框体３０との間に隙間を形成する第１台部５１１ａと、第１台部５１１ａの両側（見込方向に直交する）に配置される第１取付部５１１ｂと、を備える。両側の第１取付部５１１ｂのそれぞれには、見込方向に細長い締結孔５１１ｃが形成される。この締結孔５１１ｃに締結部材としてのネジ５０５（図１１参照）が締結されることにより、締結孔５１１ｃを通じてネジ５０５により、第１保持金具５１１が縦框（吊元側縦框３３、戸先側縦框３４）に固定される。第１台部５１１ａは、固定された状態で框体３０の見込面との間に隙間を形成する。第１台部５１１ａの室内側の端部には、室内側から室外側に切り欠かれた第１係合孔５１１ｄが形成される。また、第１台部５１１ａの室内側の端部には、ガラス２５側に向かって延出する第１延出片５１１ｅが形成される。第１延出片５１１ｅは、第１係合孔５１１ｄを跨る壁状に形成されており、第１保持金具５１１に係合された状態の第１押さえ片５２１（後述）に対向する。
【００５８】
第２保持金具５１２は、前述の第１保持金具５１１が縦框側に配置されるのに対して、横框側に配置される点と、コーナー部１００ｂの角部に対して前述の第１保持金具５１１に対称な形状に形成される点が異なるのみで、第１保持金具５１１と同様の構成を有する。第２保持金具５１２は、第１台部５１１ａに対応する第２台部５１２ａと、第１取付部５１１ｂに対応する第２取付部５１２ｂと、締結孔５１１ｃに対応する締結孔５１２ｃと、第１係合孔５１１ｄに対応する第２係合孔５１２ｄと、第１延出片５１１ｅに対応する第２延出片５１２ｅと、を有する。締結孔５１２ｃに締結部材としてのネジ５０５（図１２参照）が締結されることにより、締結孔５１２ｃを通じてネジ５０５により、第２保持金具５１２が横框（上框３１、下框３２）に固定される。第２保持金具５１２の説明は、対応する符号を付けて、第１保持金具５１１の説明を援用して、その説明を省略する。
【００５９】
保持金具接続板５１３は、第１保持金具５１１と第２保持金具５１２とを接続する。保持金具接続板５１３は、見込面に平行かつ互いの面方向が直角となるＬ字状に屈曲した板状に形成され、第１保持金具５１１のコーナー部１００ｂ（下框３２）側の端部と、第２保持金具５１２のコーナー部１００ｂ（吊元側縦框３３）側の端部とを接続する。
【００６０】
以上のように構成される保持金具構成部５１０は、全体としてＬ字状に一体的に構成され、コーナー部１００ｂの吊元側縦框３３（縦框）側において、第１保持金具５１１が、吊元側縦框３３の中空部３３ｂに配置される室外側縦框芯材３３ｅに締結孔５１１ｃを通じてネジ５０５（図１１参照）が締結固定されることにより、吊元側縦框３３の見込面に固定され、コーナー部１００ｂの下框３２（横框）側において、第２保持金具５１２が、下框３２の中空部３２ｂに配置される室外側下框芯材３２ｅに締結孔５１２ｃを通じてネジ５０５（図１２参照）が締結固定されることにより、下框３２の見込面に固定されることで、図９に示すように、吊元側縦框３３（縦框）及び下框３２（横框）を接続する。これにより、保持金具接続板５１３が第１保持金具５１１と第２保持金具５１２とを接続することで、保持金具接続板５１３は、縦框側外れ止め部５０１と横框側外れ止め部５０２とを接続するとともに、吊元側縦框３３（縦框）と下框３２（横框）とを接続する。
【００６１】
押さえ片構成部５２０の詳細について説明する。
押さえ片構成部５２０は、図９及び図１０に示すように、縦框側に配置される第１押さえ片５２１と、横框側に配置される第２押さえ片５２２と、押さえ片接続板５２３と、を備える。
【００６２】
第１押さえ片５２１は、図１０に示すように、ガラス２５の端部に対向する第１押さえ部５２１ａと、第１押さえ部５２１ａの下端部（見付方向における框体３０側の端部）から室内側に延びる第１係合部５２１ｂと、第１押さえ部５２１ａの下端部（見付方向における框体３０側の端部）における第１係合部５２１ｂの両側において室内側に延びる第１足部５２１ｄと、を備える。第１押さえ片５２１の第１係合部５２１ｂが第１保持金具５１１の第１係合孔５１１ｄに係合することで、第１押さえ片５２１は、第１保持金具５１１に係合固定（保持）される。本実施形態の第１係合部５２１ｂは、その先端がガラス２５側に突出する爪状の爪部５２１ｃを有しており、第１台部５１１ａの裏側を通って爪状の爪部５２１ｃが第１係合孔５１１ｄの端面に係合する。
【００６３】
第２押さえ片５２２は、前述の第１押さえ片５２１が縦框側に配置されるのに対して、横框側に配置される点と、コーナー部１００ｂの角部に対して前述の第１押さえ片５２１に対称な形状に形成される点が異なるのみで、第１押さえ片５２１と同様の構成を有する。第２押さえ片５２２は、第１押さえ部５２１ａに対応する第２押さえ部５２２ａと、第１係合部５２１ｂに対応する第２係合部５２２ｂと、爪部５２１ｃに対応する爪部５２２ｃと、第１足部５２１ｄに対応する第２足部５２２ｄと、を有する。第２押さえ片５２２の第２係合部５２２ｂが第２保持金具５１２の第２係合孔５１２ｄに係合することで、第２押さえ片５２２は、第２保持金具５１２に係合固定（保持）される。第２押さえ片５２２の説明は、対応する符号を付けて、第１押さえ片５２１の説明を援用して、その説明を省略する。
【００６４】
押さえ片接続板５２３は、第１保持金具５１１と第２保持金具５１２とを接続する。押さえ片接続板５２３は、見付方向に平行かつ同一平面上においてＬ字状に屈曲した平面状の板状に形成され、第１押さえ片５２１の第１押さえ部５２１ａの下框３２側の端部と、第２押さえ片５２２の第２押さえ部５２２ａの吊元側縦框３３側の端部とを接続する。
第１押さえ部５２１ａ、押さえ片接続板５２３及び第２押さえ部５２２ａは、全体として見付面に平行な平面状に一体で構成され、同一平面上において所定幅を有してＬ字状に屈曲して形成される。
【００６５】
以上のように構成される押さえ片構成部５２０は、第１押さえ片５２１、押さえ片接続板５２３及び第２押さえ片５２２が連続して形成されることで、全体として一体的に構成される。
【００６６】
以上のように構成されるコーナー部ガラス外れ止め部材５００においては、コーナー部１００ｂにおいて、框体３０の見付面に固定された保持金具構成部５１０に、押さえ片構成部５２０が取り付けられる。具体的には、保持金具構成部５１０（第１保持金具５１１、第２保持金具５１２、保持金具接続板５１３、第１保持金具５１１及び第２保持金具５１２が一体で構成された保持金具構成部５１０）が、コーナー部１００ｂにおいて框体３０の見付面に締結部材としてのネジ５０５によって締結固定される。この状態で、框体３０の見付面に固定された保持金具構成部５１０に、押さえ片構成部５２０（第１押さえ片５２１、押さえ片接続板５２３及び第２押さえ片５２２が一体で構成された押さえ片構成部５２０）が係合することで取り付けられる。
【００６７】
また、保持金具構成部５１０及び押さえ片構成部５２０により構成されるコーナー部外れ止め部材５００は、縦框側において、縦框側外れ止め部５０１を構成し、横框側において、横框側外れ止め部５０２を構成する。縦框側外れ止め部５０１及び横框側外れ止め部５０２は、コーナー部１００ｂに配置され、互いが直交した状態で接続される。
【００６８】
図９及び図１０に示すように、縦框側外れ止め部５０１は、コーナー部１００ｂにおいて、吊元側縦框３３（縦框）側に配置される。縦框側外れ止め部５０１は、前述の保持金具構成部５１０の一部を構成する第１保持金具５１１と、前述の押さえ片構成部５２０の一部を構成する第１押さえ片５２１と、を有して構成される。
【００６９】
横框側外れ止め部５０２は、コーナー部１００ｂにおいて、縦框側外れ止め部５０１に対して直交した位置に配置され、下框３２（横框）側に配置される。
【００７０】
横框側外れ止め部５０２は、前述の縦框側外れ止め部５０１が縦框側に配置されるのに対して、横框側に配置される点と、コーナー部１００ｂの角部に対して前述の縦框側外れ止め部５０１に対称な形状に形成される点が異なるのみで、縦框側外れ止め部５０１と同様の構成を有する。横框側外れ止め部５０２は、第１保持金具５１１に対応する第２保持金具５１２と、第１押さえ片５２１に対応する第２押さえ片５２２と、を有して構成される。第２保持金具５１２は、前述の保持金具構成部５１０の一部を構成する。第２押さえ片５２２は、前述の押さえ片構成部５２０の一部を構成する。
【００７１】
本実施形態では、押さえ片構成部５２０は、保持金具構成部５１０に係合した状態でも見込方向で若干の移動が可能となっている。保持金具構成部５１０と押さえ片構成部５２０の係合を解除する場合は、第１係合部５２１ｂの爪部５２１ｃを框体３０側に押し込んで係合を解除すると共に第２係合部５２２ｂの爪部５２２ｃを框体３０側に押し込んで係合を解除し、押さえ片構成部５２０を室内外側に移動させる。
【００７２】
框体３０に固定されたコーナー部ガラス外れ止め部材５００の固定状態について説明する。図１１は、第１実施形態の建具１に適用されるコーナー部ガラス外れ止め部材５００の吊元側縦框（縦框）３３側の固定状態及びその周囲を示す拡大横断面図である。図１２は、第１実施形態の建具１に適用されるコーナー部ガラス外れ止め部材５００の下框（横框）３２側の固定状態及びその周囲を示す拡大横断面図である。
【００７３】
図１１に示すように、吊元側縦框（縦框）３３側において、コーナー部ガラス外れ止め部材５００がコーナー部１００ｂに固定された状態においては、コーナー部ガラス外れ止め部材５００の縦框側ガラス外れ止め部５０１の第１押さえ片５２１の第１押さえ部５２１ａが、室外側ガラス２５ａにおける縦方向に延びる吊元側端部に室外側（見込方向一側）で対面した状態となる。
【００７４】
また、図１２に示すように、下框（横框）３２側において、コーナー部ガラス外れ止め部材５００がコーナー部１００ｂに固定された状態においては、コーナー部ガラス外れ止め部材５００の横框ガラス外れ止め部５０２の第２押さえ片５２２の第２押さえ部５２２ａが、室外側ガラス２５ａにおける横方向に延びる下端部に室外側（見込方向一側）で対面した状態となる。
【００７５】
縦框側ガラス外れ止め部５０１は、図１１に示すように、保持金具構成部５１０の第１保持金具５１１を框体３０に取り付けた状態で加熱発泡材３８を配置し、ガラス２５を嵌め込んだ状態で第１押さえ片５２１を第１保持金具５１１に係合させる。横框ガラス外れ止め部５０２は、図１２に示すように、保持金具構成部５１０の第２保持金具５１２を框体３０に取り付けた状態で加熱発泡材３８を配置し、ガラス２５を嵌め込んだ状態で第２押さえ片５２２を第２保持金具５１２に係合させる。
【００７６】
加熱発泡材３８は、ガラス２５の４周を囲う帯状に形成されており、縦框側ガラス外れ止め部５０１に差し掛かる部分では、第１保持金具５１１の第１台部５１１ａのガラス２５側の面に加熱発泡材３８が載った状態となり、横框ガラス外れ止め部５０２に差し掛かる部分では、第２保持金具５１２の第２台部５１２ａのガラス２５側の面に加熱発泡材３８が載った状態となる。加熱発泡材３８は、接着剤、接着テープ等を用いた接着固定やネジ等を用いた締結固定等、適宜の方法で框体３０に固定される。
【００７７】
保持金具構成部５１０において、第１保持金具５１１は、吊元側縦框３３の中空部３３ｂに配置される室外側縦框芯材３３ｅに締結孔５１１ｃを通じてネジ５０５が締結固定されることにより、吊元側縦框３３の見込面に固定される。
保持金具構成部５１０において、第２保持金具５１２は、下框３２の中空部３２ｂに配置される室外側下框芯材３２ｅに締結孔５１２ｃを通じてネジ５０５が締結固定されることにより、下框３２の見込面に固定される。
これにより、保持金具構成部５１０は、縦框（吊元側縦框３３、戸先側縦框３４）及び横框（上框３１、下框３２）に固定されて、縦框（吊元側縦框３３、戸先側縦框３４）及び横框（上框３１、下框３２）を接続する。
【００７８】
また、上述のように、第１保持金具５１１の締結孔５１１ｃ及び第２保持金具５１２の締結孔５１２ｃは、見込方向に長い長孔となっている。
従って、吊元側縦框３３及び室外側縦框芯材３３ｅに対する加工位置を変えることなく、下框３２及び室外側下框芯材３２ｅに対する加工位置を変えることなく、保持金具構成部５１０の取付位置を見込方向（室内外方向）で調整することが可能である。
【００７９】
以上、図９〜図１２を参照して、コーナー部１００ｂに固定されるガラス外れ止め部材５００について説明したが、他のコーナー部１００ａ、１００ｃ、１００ｄでも同様の構成及び方法でコーナー部ガラス外れ止め部材５００が固定される。
【００８０】
以上説明した上記絵第１実施形態の構成によれば、以下のような効果を奏する。
建具１は、樹脂製の框体３０及び框体３０の内側に納められるガラス２５を備える建具１であって、框体３０を構成する縦框３３，３４及び横框３１，３２が連結されるコーナー部１００ａ〜１０ｄに固定されるコーナー部ガラス外れ止め部材５００を備え、ガラス外れ止め部材５００は、縦框３３，３４に配置される縦框側第１外れ止め部５０１と、縦框側外れ止め部５０１に対して直交した位置において横框３１，３２に配置される横框側第２外れ止め部５０２と、縦框側外れ止め部５０１と横框側外れ止め部５０２とを接続するとともに縦框３３，３４と横框３１，３２とを接続する保持金具接続板５１３と、を備え、縦框側外れ止め部５０１は、第１押さえ片５２１と、第１押さえ片５２１を保持し縦框３３，３４に固定される第１保持金具５１１と、を有し、横框側外れ止め部５０２は、第２押さえ片５２２と、第２押さえ片５２２を保持し横框３１，３２に固定される第２保持金具５１２と、を有する。
【００８１】
これにより、コーナー部１００ａ〜１００ｄにおいて、縦框側ガラス外れ止め部５０１が縦框側に配置されることで、第１押さえ片５２１が縦框３３，３４側においてガラス２５の端部を押さえることができ、横框側ガラス外れ止め部５０２が横框３１，３２側に配置されることで、第２押さえ片５２２が横框３１，３２側でガラス２５の端部を押さえことができる。これにより、ガラス２５を縦框３３，３４及び横框３１，３２において押さえることができため、コーナー部１００ａ〜１００ｂにおいてガラス２５に捩れの応力が掛かることを防止できる。これにより、ガラス２５への応力の集中によるヒビや破損の発生を防止でき又は効果的に遅らせることができる。
また、コーナー部１００ａ〜１００ｄにおいて、縦框（吊元側縦框３３、戸先側縦框３４）及び横框（上框３１、下框３２）が保持金具構成部５１０により接続される。これにより、コーナー部１００ａ〜１００ｄにおける強度を向上させつつ、コーナー部ガラス外れ止め部材５００の剛性を向上させることができる。
【００８２】
また、本実施形態では、第１保持金具５１１及び第２保持金具５１２は、コーナー部１００ａ〜１００ｄにおいて保持金具接続板５１３により接続されて一体で構成される。そのため、保持金具構成部５１０を一体で構成できるため、保持金具構成部５１０の剛性を向上させることができる。また、第１保持金具５１１及び第２保持金具５１２を一体で取り扱うことができるため、取り扱いが容易である。
【００８３】
また、本実施形態では、第１押さえ片５２１及び第２押さえ片５２２は、コーナー部１００ａ〜１００ｄにおいて接続されて一体で構成される。そのため、押さえ片構成部５２０を一体で構成できるため、押さえ片構成部５２０の剛性を向上させることができる。また、第１押さえ片５２１及び第２押さえ片５２２を一体で取り扱うことができるため、取り扱いが容易である。
【００８４】
上記第１実施形態の変形例について説明する。なお、以下の説明において上記実施形態と共通又は同様の構成については同じ符号を付してその説明を省略する場合がある。
【００８５】
図１３は、第１実施形態の変形例のコーナー部ガラス外れ止め部材５００Ａを示す分解斜視図である。図１３に示すコーナー部ガラス外れ止め部材５００Ａは、上記第１実施形態のガラス外れ止め部材５００が押さえ片構成部５２０の第１押さえ片５２１と第２押さえ片５２２とが押さえ片接続板５２３を介して接続されることで一体で構成されるのに比べて、押さえ片構成部５２０Ａの第１押さえ片５２１と第２押さえ片５２２とが別体で構成される点において異なる。
【００８６】
図１３に示すように、第１実施形態の変形例の押さえ片構成部５２０Ａは、第１実施形態における押さえ片接続板５２３を備えておらず、第１押さえ片５２１と第２押さえ片５２２とは別体で構成される。
【００８７】
以上説明した本変形例においても、コーナー部１００ａ〜１００ｄにおいて、縦框側ガラス外れ止め部５０１が縦框側に配置されることで、第１押さえ片５２１が縦框３３，３４側においてガラス２５の端部を押さえることができ、横框側ガラス外れ止め部５０２が横框３１，３２側に配置されることで、第２押さえ片５２２が横框３１，３２側でガラス２５の端部を押さえことができる。また、コーナー部１００ａ〜１００ｄにおいて、縦框（吊元側縦框３３、戸先側縦框３４）及び横框（上框３１、下框３２）が保持金具構成部５１０により接続される。上記第１実施形態と同様の効果を奏することができる。
【００８８】
次に、第２実施形態のコーナー部ガラス外れ止め部材６００について説明する。なお、以下の説明において上記実施形態と共通又は同様の構成については対応する符号を付けてその説明を省略する場合がある。図１４は、第２実施形態のコーナー部ガラス外れ止め部材６００を示す斜視図である。図１５は、第２実施形態のコーナー部ガラス外れ止め部材６００の分解斜視図である。
【００８９】
框体３０に固定された第２実施形態のコーナー部ガラス外れ止め部材６００の取付状態について説明する。第２実施形態においても、第１実施形態と同様に、コーナー部ガラス外れ止め部材６００が、主に、コーナー部１００ｂ（図９参照）に配置される場合について説明する。
【００９０】
図１４及び図１５に示すように、コーナー部ガラス外れ止め部材６００は、コーナー部１００ｂ（図９参照）の内隅において吊元側縦框３３（縦框）と下框３２（横框）とに跨ったＬ字状に構成される。コーナー部ガラス止め部材６００は、框体３０に固定される保持金具構成部６１０と、保持金具構成部６１０に保持される押さえ片構成部６２０と、Ｌ字状のコーナープレート部材６３０（コーナー接続部）と、を有する。本実施形態では、保持金具構成部６１０、押さえ片構成部６２０及びコーナープレート部材６３０は、何れも金属製（例えば、ステンレス鋼）である。コーナープレート部材６３０は、コーナー部１００ａ〜１００ｄに固定される。コーナープレート部材６３０には、保持金具構成部６１０及び押さえ片構成部６２０が取り付けられる。
【００９１】
本実施形態においては、図１５に示すように、保持金具構成部６１０は、縦框側に配置される第１保持金具６１１（第１保持部）と、横框側に配置される第２保持金具６１２（第２保持部）と、が別体で構成される。押さえ片構成部６２０は、縦框側に配置される第１押さえ片６２１と、横框側に配置される第２押さえ片６２２と、押さえ片接続板６２３と、が一体で構成される。第２実施形態の押さえ片構成部６２０の構成は、第１実施形態の押さえ片構成部５２０と比べて、幅及び長さに違いがあるが、基本的に同様の構成である。そのため、第２実施形態の押さえ片構成部６２０の説明は、対応する符号を付けて、第１実施形態の押さえ片構成部５２０の説明を援用して、その説明を省略する。
【００９２】
また、コーナー部外れ止め部材６００は、ガラス外れ止めの機能に着目すると、縦框側に配置される縦框側外れ止め部６０１（第１外れ止め部）と、横框側に配置される横框側外れ止め部６０２（第２外れ止め部）と、を備えて構成される。縦框側外れ止め部６０１は、ガラス２５の縦方向に延びる端部に対面することで、縦框側において、ガラス外れ止めの機能を発揮する。横框側外れ止め部６０２は、ガラス２５の横方向に延びる端部に対面することで、横框側において、ガラス外れ止めの機能を発揮する。
【００９３】
縦框側外れ止め部６０１及び横框側外れ止め部６０２は、各コーナー部１００ａ〜１００ｂの角を挟んで、縦框（吊元側縦框３３、戸先側縦框３４）又は横框（上框３１、下框３２）に配置される。縦框側外れ止め部６０１及び横框側外れ止め部６０２は、各コーナー部１００ａ〜１００ｄの角に対して対称に、同一の形状により構成される。
【００９４】
保持金具構成部６１０の詳細について説明する。
保持金具構成部６１０は、図１４及び図１５に示すように、縦框側に配置される第１保持金具６１１と、横框側に配置される第２保持金具６１２と、を備える。
【００９５】
第１実施形態において、第１保持金具５１１、保持金具接続板５１３及び第２保持金具５１２が一体で構成されるのに対して、第２実施形態においては、第１保持金具６１１及び第２保持金具６１２は、別体で構成される。第２実施形態体の第１保持金具６１１及び第２保持金具６１２は、別体で構成される以外は、第１実施形態の第１保持金具５１１及び第２保持金具５１２と同様の構成を有する。そのため、第２実施形態体の第１保持金具６１１及び第２保持金具６１２の説明は、対応する符号を付けて、第１実施形態体の第１保持金具５１１及び第２保持金具５１２の説明を援用して、その説明を省略する。
【００９６】
押さえ片構成部６２０の詳細について説明する。
押さえ片構成部６２０は、図１４及び図１５に示すように、縦框側に配置される第１押さえ片６２１と、横框側に配置される第２押さえ片６２２と、押さえ片接続板６２３と、を備える。
【００９７】
第２実施形態体の第１押さえ片６２１、押さえ片接続板６２３及び第２押さえ片６２２は、第１実施形態の第１押さえ片５２１、押さえ片接続板５２３及び第２押さえ片５２２と同様の構成を有する。そのため、第２実施形態体の第１押さえ片６２１、押さえ片接続板６２３及び第２押さえ片６２２の説明は、対応する符号を付けて、第１実施形態体の第１押さえ片５２１、押さえ片接続板５２３及び第２押さえ片５２２の説明を援用して、その説明を省略する。
【００９８】
以上のように構成される押さえ片構成部６２０は、第１押さえ片６２１、押さえ片接続板６２３及び第２押さえ片６２２が連続して形成されることで、全体として一体的に構成される。
【００９９】
コーナープレート部材６３０について説明する。
コーナープレート部材６３０は、図１５に示すように、縦框側プレート部材６３１と、横框側プレート部材６３２と、を有する。縦框側プレート部材６３１及び横框側プレート部材６３２は、コーナー部１００ｂ側において、互いの端部が接続され、Ｌ字状に一体に形成される。
【０１００】
縦框側プレート部材６３１は、縦框（吊元側縦框３３、戸先側縦框３４）の見込面及び長手方向に沿って延びる板状に形成される縦框側平面板６３１ａと、ガラス２５側に向かって延出する第１延出片６３１ｅと、を有する。
横框側プレート部材６３２は、横框（上框３１、下框３２）の見込面及び長手方向に沿って延びる板状に形成される横框側平面板６３２ａと、ガラス２５側に向かって延出する第２延出片６３２ｅと、を有する。
縦框側平面板６３１ａと横框側平面板６３２ａとは、一体に形成され、互いの端部が接続され、見込面に平行かつ互いの面方向が直角となるＬ字状に屈曲した板状に形成される。
【０１０１】
また、第１延出片６３１ｅは、縦框側平面板６３１ａの室内側の端部において、ガラス２５側に向かって延出する。第１延出片６３１ｅは、壁状に形成されており、第１保持金具６１１に係合された状態の第１押さえ片６２１に対向する。また、第２延出片６３２ｅは、横框側平面板６３２ａの室内側の端部において、ガラス２５側に向かって延出する。第２延出片６３２ｅは、壁状に形成されており、第２保持金具６１２に係合された状態の第２押さえ片６２２に対向する。
【０１０２】
Ｌ字状のコーナープレート部材６３０は、框体３０（上框３１、下框３２、吊元側縦框３３又は戸先側縦框３４）の見込面に配置され、このＬ字状のコーナープレート部材６３０を介した状態で第１保持金具６１１及び第２保持金具６１２が締結部材としてのネジによって框体３０に締結固定される。縦框側平面板６３１ａ及び横框側平面板６３２ａのそれぞれには、長手方向の両側に、締結孔６３１ｂ，６３２ｂがそれぞれ形成される。
【０１０３】
以上のように構成されるコーナー部外れ止め部材６００においては、Ｌ字状のコーナープレート部材６３０がコーナー部１００ｂにおける框体３０の見付面に配置され、コーナープレート部材６３０の見付面に保持金具構成部６１０（別体で構成された第１保持金具６１１及び第２保持金具６１２）が取り付けられた状態で、コーナープレート部材６３０及び保持金具構成部６１０（別体で構成された第１保持金具６１１及び第２保持金具６１２）が、コーナー部１００ｂにおいて框体３０の見付面に締結部材としてのネジによって共締めされて締結固定される。この状態で、框体３０の見付面に固定された保持金具構成部６１０に、押さえ片構成部６２０（第１押さえ片６２１、押さえ片接続板６２３及び第２押さえ片６２２が一体で構成された押さえ片構成部６２０）が係合することで取り付けられる。
【０１０４】
また、保持金具構成部６１０、押さえ片構成部６２０及びコーナープレート部材６３０で構成されるコーナー部外れ止め部材６００は、縦框側において、縦框側外れ止め部６０１を構成し、横框側において、横框側外れ止め部６０２を構成する。縦框側外れ止め部６０１及び横框側外れ止め部６０２は、コーナー部１００ｂに配置され、互いが直交した状態で接続される。
【０１０５】
図１４及び図１５に示すように、縦框側外れ止め部６０１は、コーナー部１００ｂにおいて、吊元側縦框３３（縦框）側に配置される。縦框側外れ止め部６０１は、第１保持金具６１１と、第１押さえ片６２１と、を有する。
【０１０６】
横框側外れ止め部６０２は、コーナー部１００ｂにおいて、縦框側外れ止め部６０１に対して直交した位置に配置され、下框３２（横框）側に配置される。
【０１０７】
横框側外れ止め部６０２は、前述の縦框側外れ止め部６０１が縦框側に配置されるのに対して、横框側に配置される点と、コーナー部１００ｂの角部に対して前述の縦框側外れ止め部６０１に対称な形状に形成される点が異なるのみで、縦框側外れ止め部６０１と同様の構成を有する。横框側外れ止め部６０２は、第１保持金具６１１に対応する第２保持金具６１２と、第１押さえ片６２１に対応する第２押さえ片６２２と、を有して構成される。
【０１０８】
本実施形態では、押さえ片構成部６２０は、保持金具構成部６１０に係合した状態でも見込方向で若干の移動が可能となっている。保持金具構成部６１０と押さえ片構成部６２０の係合を解除する場合は、第１係合部６２１ｂの爪部６２１ｃを框体３０側に押し込んで係合を解除すると共に第２係合部６２２ｂの爪部６２２ｃを框体３０側に押し込んで係合を解除し、押さえ片構成部６２０を室内外側に移動させる。
【０１０９】
框体３０に固定されたコーナー部ガラス外れ止め部材６００の固定状態について説明する。第２実施形態においても、第１実施形態と基本的には同様に、図１０において符号の「５百番代」を「６百番代」に読み替えて、吊元側縦框３３側において、コーナー部ガラス外れ止め部材６００がコーナー部１００ｂに固定された状態においては、コーナー部ガラス外れ止め部材６００の縦框側ガラス外れ止め部６０１の第１押さえ片６２１の第１押さえ部６２１ａは、室外側ガラス２５ａにおける縦方向に延びる吊元側端部に室外側（見込方向一側）で対面した状態となる。
また、図１１において符号の「５百番代」を「６百番代」に読み替えて、下框３２側において、コーナー部ガラス外れ止め部材６００がコーナー部１００ｂに固定された状態においては、コーナー部ガラス外れ止め部材６００の横框ガラス外れ止め部６０２の第２押さえ片６２２の第２押さえ部６２２ａは、室外側ガラス２５ａにおける横方向に延びる下端部に室外側（見込方向一側）で対面した状態となる。
【０１１０】
框体３０に固定されたコーナー部ガラス外れ止め部材６００の取付状態において、コーナー部ガラス外れ止め部材６００を框体３０のコーナー部１００ａ〜１００ｄに取り付ける場合には、コーナー部１００ａ〜１００ｄにＬ字状のコーナープレート部材６３０を配置した状態で、第１保持金具６１１及び第２保持金具６１２をコーナープレート部材６３０に配置する。この状態で、第１保持金具６１１の締結孔６１１ｃと縦框側平面板６３１ａの締結孔６３１ｂとを重ねた状態で、締結部材としてのネジで共締めして締結すると共に、第２保持金具６１２の締結孔６１２ｃと横框側平面板６３２ａの締結孔６３２ｂとを重ねた状態で、締結部材としてのネジで共締めして締結する。
【０１１１】
コーナープレート部材６３０は、コーナー部１００ｂの吊元側縦框３３（縦框）側において、吊元側縦框３３の中空部３３ｂに配置される室外側縦框芯材３３ｅ（図１１参照）に締結孔６３１ｂを通じてネジが締結固定されることにより、縦框側平面板６３１ａが、吊元側縦框３３の見込面に固定され、コーナー部１００ｂの下框３２（横框）側において、下框３２の中空部３２ｂに配置される室外側下框芯材３２ｅ（図１２参照）に締結孔６３２ｂを通じてネジが締結固定されることにより、横框側平面板６３２ａが、下框３２の見込面に固定される。これにより、コーナープレート部材６３０は、縦框（吊元側縦框３３、戸先側縦框３４）及び横框（上框３１、下框３２）に固定されることで、縦框側外れ止め部６０１と横框側外れ止め部６０２とを接続するとともに、縦框（吊元側縦框３３、戸先側縦框３４）及び横框（上框３１、下框３２）を接続する。
【０１１２】
また、第１保持金具６１１は、締結部材としてのネジで共締めされることで、締結孔６１１ｃを通じてネジによって、コーナープレート部材６３０の縦框側平面板６３１ａに固定されると共に、吊元側縦框３３の中空部３３ｂに配置される室外側縦框芯材３３ｅに締結固定されることにより、吊元側縦框３３（縦框）の見込面に固定される。第２保持金具６１２は、締結部材としてのネジで共締めされることで、締結孔６１２ｃを通じてネジによって、コーナープレート部材６３０の横框側平面板６３２ａに固定されると共に、下框３２の中空部３２ｂに配置される室外側下框芯材３２ｅに締結孔６１２ｃを通じてネジが締結固定されることにより、下框３２（横框）の見込面に固定される。
【０１１３】
また、上述のように、第１保持金具６１１の締結孔６１１ｃ及び第２保持金具５１２の締結孔６１２ｃは、見込方向に長い長孔となっている。
従って、第２実施形態においても、第１実施形態と同様に、吊元側縦框３３及び室外側縦框芯材３３ｅに対する加工位置を変えることなく、また、下框３２及び室外側下框芯材３２ｅに対する加工位置を変えることなく、保持金具構成部６１０の取付位置を見込方向（室内外方向）で調整することが可能である。
【０１１４】
以上、図１４及び図１５を参照して、コーナー部１００ｂに固定されるガラス外れ止め部材６００について説明したが、他のコーナー部１００ａ、１００ｃ、１００ｄでも同様の構成及び方法でコーナー部ガラス外れ止め部材６００が固定される。
【０１１５】
第２実施形態のコーナー部ガラス外れ止め部材６００によっても、上記第１実施形態と同様の効果を奏することができる。具体的には、コーナー部１００ａ〜１００ｄにおいて、縦框側ガラス外れ止め部６０１が縦框側に配置されることで、第１押さえ片６２１が縦框３３，３４側においてガラス２５の端部を押さえることができ、横框側ガラス外れ止め部６０２が横框３１，３２側に配置されることで、第２押さえ片６２２が横框３１，３２側でガラス２５の端部を押さえことができる。これにより、ガラス２５を縦框３３，３４及び横框３１，３２において押さえることができため、コーナー部１００ａ〜１００ｂにおいてガラス２５に捩れの応力が掛かることを防止できる。これにより、ガラス２５への応力の集中によるヒビや破損の発生を防止でき又は効果的に遅らせることができる。
また、コーナー部１００ａ〜１００ｄにおいて、縦框（吊元側縦框３３、戸先側縦框３４）及び横框（上框３１、下框３２）がコーナープレート部材６３０により接続される。これにより、コーナー部１００ａ〜１００ｄにおける強度を向上させつつ、コーナー部ガラス外れ止め部材６００の剛性を向上させることができる。
【０１１６】
また、第１保持金具６１１と第２保持金具６１２とは別体で構成されるため、見付方向と見込方向の位置を締結孔６１１ｃ，６１２ｃでそれぞれ調整することで、コーナー部において、縦框（吊元側縦框３３及び戸先側縦框３４）に固定される第１保持金具６１１と横框（上框３１及び下框３２）に固定される第２保持金具６１２とを、見込方向で位置をずらして配置することができる。
【０１１７】
上記第２実施形態の変形例について説明する。なお、以下の説明において上記実施形態と共通又は同様の構成については同じ符号を付してその説明を省略する場合がある。図１６は、第２実施形態の変形例のコーナー部ガラス外れ止め部材６００Ａを示す斜視図である。図１７は、第２実施形態の変形例のコーナー部ガラス外れ止め部材６００Ａの分解斜視図である。
【０１１８】
図１６及び図１７に示すコーナー部ガラス外れ止め部材６００Ａは、上記第２実施形態のガラス外れ止め部材６００が押さえ片構成部６２０の第１押さえ片６２１と第２押さえ片６２２とが押さえ片接続板６２３を介して接続されることで一体で構成されるのに比べて、押さえ片構成部６２０の第１押さえ片６２１と第２押さえ片６２２とが別体で構成される点において異なる。
【０１１９】
図１６及び図１７に示すように、第２実施形態の変形例の押さえ片構成部６２０Ａは、第２実施形態における押さえ片接続板６２３を備えておらず、第１押さえ片６２１と第２押さえ片６２２とは別体で構成される。
【０１２０】
以上説明した本変形例においても、コーナー部１００ａ〜１００ｄにおいて、縦框側ガラス外れ止め部６０１が縦框側に配置されることで、第１押さえ片６２１が縦框３３，３４側においてガラス２５の端部を押さえることができ、横框側ガラス外れ止め部６０２が横框３１，３２側に配置されることで、第２押さえ片６２２が横框３１，３２側でガラス２５の端部を押さえことができる。また、コーナー部１００ａ〜１００ｄにおいて、縦框（吊元側縦框３３、戸先側縦框３４）及び横框（上框３１、下框３２）がコーナープレート部材６３０により接続される。よって、上記第２実施形態と同様の効果を奏することができる。
【０１２１】
このように、上記実施形態や変形例の構成に制限されるわけではなく、框体及びガラスを備える種々の建具に本発明を適用できる。また、ガラス外れ止め部材の構成も適宜変更することができる。例えば、室内外の両方に押さえ片を有する構成や室内側にのみ押さえ片を有する構成とすることも場合によっては可能である。
【０１２２】
また、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【符号の説明】
【０１２３】
１  建具
２５  ガラス
３０  框体
３１  上框（横框）
３２  下框（横框）
３３  吊元側縦框（縦框）
３４  戸先側縦框（縦框）
１００ａ，１００ｂ，１００ｃ，１００ｄ  コーナー部
５００，５００Ａ，６００，６００Ａ  ガラス外れ止め部材
５０１  縦框側外れ止め部（第１外れ止め部）
５０２  横框側外れ止め部（第２外れ止め部）
５０５  ネジ（締結部材）
５１１ｃ，５１２ｃ  締結孔
５１３  保持金具接続板（コーナー接続部）
５２１  第１押さえ片
５２２  第２押さえ片
６０１  縦框側外れ止め部（第１外れ止め部）
６０２  横框側外れ止め部（第２外れ止め部）
６１１  第１保持金具（第１保持部）
６１２  第２保持金具（第２保持部）
６１１ｃ，６１２ｃ  締結孔
６２１  第１押さえ片
６２２  第２押さえ片
６３０  コーナープレート部材（コーナー接続部）
【図１】
2019085833.tif 000003
【図２】
2019085833.tif 000004
【図３】
2019085833.tif 000005
【図４】
2019085833.tif 000006
【図５】
2019085833.tif 000007
【図６】
2019085833.tif 000008
【図７】
2019085833.tif 000009
【図８】
2019085833.tif 000010
【図９】
2019085833.tif 000011
【図１０】
2019085833.tif 000012
【図１１】
2019085833.tif 000013
【図１２】
2019085833.tif 000014
【図１３】
2019085833.tif 000015
【図１４】
2019085833.tif 000016
【図１５】
2019085833.tif 000017
【図１６】
2019085833.tif 000018
【図１７】
2019085833.tif 000019